(57)【要約】【課題】  顔に陰が形成されることなく的確に顔の化粧を行うことができ、またコンタクトの装用やマニキュアの塗布や髭剃りなども的確に行うことのできる洗面化粧台。【解決手段】  洗面ボール（１ａ）の上方に設けられたミラー（２）を備えた洗面化粧台。ミラーの下端近傍の高さ位置に設けられた半透明棚（５）と、半透明棚の内側に設けられた照明部（６）とを備えている。半透明棚は、ミラーの幅のほぼ全体亘って水平に延びるように設けられている。【選択図】  図２
2006006818.tif 000002
【特許請求の範囲】
【請求項１】
洗面ボールの上方に設けられたミラーを備えた洗面化粧台において、
前記ミラーの下端近傍の高さ位置に設けられた半透明棚と、
前記半透明棚の内側に設けられた照明部とを備えていることを特徴とする洗面化粧台。
【請求項２】
前記半透明棚は、前記ミラーの幅のほぼ全体亘って水平に延びるように設けられていることを特徴とする請求項１に記載の洗面化粧台。
【発明の詳細な説明】
【技術分野】
【０００１】
本発明は、洗面化粧台に関し、特に洗面化粧台における照明に関するものである。
【背景技術】
【０００２】
従来、洗面化粧台には、洗面ボールの上方に比較的大きなミラーが設けられ、このミラーの上端近傍の高さ位置に照明部が設けられている。女性の場合、ミラーに正対して顔の化粧や、コンタクトの装用や、マニキュアの塗布などを行うことが多い。
【発明の開示】
【発明が解決しようとする課題】
【０００３】
しかしながら、従来技術では、ミラーの上端近傍の高さ位置に設けられた照明部に頼った上からの照明だけでは、顔に陰が形成され易く、的確に顔の化粧を行うことが困難であるという不都合があった。また、上からの照明だけでは、コンタクトの装用やマニキュアの塗布や髭剃りなども的確に行うことが困難であるという不都合があった。
【０００４】
本発明は、前述の課題に鑑みてなされたものであり、顔に陰が形成されることなく的確に顔の化粧を行うことができ、またコンタクトの装用やマニキュアの塗布や髭剃りなども的確に行うことのできる洗面化粧台を提供することを目的とする。
【課題を解決するための手段】
【０００５】
前記課題を解決するために、本発明では、洗面ボールの上方に設けられたミラーを備えた洗面化粧台において、
前記ミラーの下端近傍の高さ位置に設けられた半透明棚と、
前記半透明棚の内側に設けられた照明部とを備えていることを特徴とする洗面化粧台を提供する。
【０００６】
本発明の好ましい態様によれば、前記半透明棚は、前記ミラーの幅のほぼ全体亘って水平に延びるように設けられている。
【発明の効果】
【０００７】
本発明では、洗面ボールの上方に設けられたミラーの下端近傍の高さ位置に半透明棚が設けられ、この半透明棚の内側に照明部が設けられている。したがって、半透明棚を介した照明部からの間接照明により、ミラーに正対した人の顔を下からも照らすことができ、顔に陰が形成されることなく、的確な顔の化粧をすることが可能になる。
【０００８】
また、半透明棚を介した照明部からの間接照明を手元照明として有効に利用し、コンタクトの装用やマニキュアの塗布や髭剃りなども的確に行うことができる。また、下から照明されて光っている半透明棚の上に、半透明のコップや歯ブラシや飾り瓶などを見栄え良く置くことができる。すなわち、本発明の洗面化粧台では、顔に陰が形成されることなく的確に顔の化粧を行うことができ、またコンタクトの装用やマニキュアの塗布や髭剃りなども的確に行うことができる。
【０００９】
なお、本発明では、半透明棚がミラーの幅のほぼ全体亘って水平に延びるように設けられていることが好ましい。この構成により、たとえば半透明棚の両側に比較的頻繁に使用する半透明のコップや歯ブラシや飾り瓶などを常設しても、半透明棚の中央部分に自由に使用可能なスペースを十分に大きく確保することができる。
【発明を実施するための最良の形態】
【００１０】
本発明の実施形態を、添付図面に基づいて説明する。
図１は、本発明の実施形態にかかる洗面化粧台の構成を概略的に示す斜視図である。また、図２は、本実施形態にかかる洗面化粧台の特徴的構成の基本的な作用を説明する図である。また、図３は、本実施形態にかかる洗面化粧台の特徴的構成の別の作用を説明する図である。
【００１１】
図１を参照すると、本実施形態の洗面化粧台は、洗面ボール１ａおよびその両側に配置されたカウンター１ｂ，１ｃを有するカウンターユニット１と、洗面ボール１ａの上方に設けられた洗面ミラー２と、洗面ミラー２の上端近傍の高さ位置に設けられた通常の上側照明部３とを備えている。
【００１２】
また、本実施形態の洗面化粧台は、洗面ミラー２の上方に設けられた演出用の間接照明部４と、洗面ミラー２の半透明棚５と、この半透明棚５の内側に設けられた下側照明部６とを備えている。ここで、演出用の間接照明部４は、たとえば多数の青色ＬＥＤにより構成されて壁面Ｗを介して間接照明するようになっており、浴槽から（不図示）に浸かった状態で見えるように設定されている。
【００１３】
また、半透明棚５は、洗面ミラー２の幅のほぼ全体亘って水平に延びるように設けられている。あるいは、図示を省略したが、半透明棚５は、洗面ボール１ａの上側部分だけに設けられていても良い。また、図２に明瞭に示すように、下側照明部６は、半透明棚５の水平部５ａの先端部と壁面Ｗの近傍との間に着脱自在なカバー５ｂによって覆われるように構成されている。したがって、半透明棚５のカバー５ｂを取り外すことにより、下側照明部６の光源の交換やメンテナンスなどを容易に行うことができる。あるいは、図示を省略したが、半透明棚５の水平部５ａを手前にスライドさせることにより、下側照明部６の光源の交換やメンテナンスなどを容易に行うこともできる。
【００１４】
以上のように、本実施形態では、洗面ボール１ａの上方に設けられた洗面ミラー１ａの下端近傍の高さ位置に半透明棚５が設けられ、この半透明棚５の内側に照明部６が設けられている。したがって、図２に示すように、通常の上側照明部３からの照明に加えて、半透明棚５を介した下側照明部６からの間接照明により、洗面ミラー１ａに正対した人の顔を下からも照らすことができ、顔に陰が形成されることなく、的確な顔の化粧をすることが可能になる。
【００１５】
また、半透明棚５を介した下側照明部６からの間接照明を手元照明として有効に利用し、コンタクトの装用やマニキュアの塗布や髭剃りなども的確に行うことができる。また、図２に示すように、下から照明されて光っている半透明棚５の上に、半透明のコップ７や歯ブラシ８や飾り瓶９などを見栄え良く置くことができる。すなわち、本実施形態の洗面化粧台では、顔に陰が形成されることなく的確に顔の化粧を行うことができ、またコンタクトの装用やマニキュアの塗布や髭剃りなども的確に行うことができる。
【００１６】
また、本実施形態では、半透明棚５が洗面ミラー２の幅のほぼ全体亘って水平に延びるように設けられているので、たとえば半透明棚５の両側に比較的頻繁に使用する半透明のコップ７や歯ブラシ８や飾り瓶９などを常設しても、半透明棚５の中央部分に自由に使用可能なスペースを十分に大きく確保することができる。
【図面の簡単な説明】
【００１７】
【図１】本発明の実施形態にかかる洗面化粧台の構成を概略的に示す斜視図である。
【図２】本実施形態にかかる洗面化粧台の特徴的構成の基本的な作用を説明する図である。
【図３】本実施形態にかかる洗面化粧台の特徴的構成の別の作用を説明する図である。
【符号の説明】
【００１８】
１  カウンターユニット
１ａ  洗面ボール
１ｂ，１ｃ  カウンター
２  洗面ミラー
３  上側照明部
４  演出用の間接照明部
５  半透明棚
５ａ  半透明棚の水平部
５ｂ  半透明棚のカバー
６  下側照明部
７  半透明のコップ
８  歯ブラシ
９  飾り瓶
【図１】
2006006818.tif 000003
【図２】
2006006818.tif 000004
【図３】
2006006818.tif 000005